(57)【特許請求の範囲】
【請求項１】
ケース内に設けられた往復移動用モータの駆動軸に偏心状態で連結されると共に横方向に往復移動するように設けられた往復移動部材を介して洗浄盤が前記ケースの前方に臨むように取り付けられ、前記往復移動用モータを駆動することにより前記洗浄盤が所定幅で横方向に往復移動するようにした背中洗浄装置において、
前記洗浄盤は横方向に湾曲した形状を有し、
前記洗浄盤の平面上にスポンジ製洗浄部材が着脱自在に設けられ、
前記洗浄盤には暖房用配線が設けられた、ことを特徴とする背中洗浄装置。
【請求項２】
左右に離間する長尺の案内部材が壁面に固定された取付台を介して上下方向に設けられ、夫々の案内部材に沿って縦状に設けられた長尺のラックに歯合するギヤが前記ケース内に設けられた昇降用モータの駆動軸に結合されたことによって前記ケースが上下方向に昇降し、また所定高さで停止状態になる、ことを特徴とする請求項１記載の背中洗浄装置。

【請求項３】
前記左右の案内部材の上下部に設けられた取付台は壁面に接触する側に突出面とその周縁の凹部とを有し、前記突出面に設けられた両面粘着テープの接着によって壁面に仮止めされた状態で前記取付台の凹部に接着剤を充填することによって壁面に固定するようにした、ことを特徴とする請求項２記載の背中洗浄装置。

【発明の詳細な説明】
【技術分野】
【０００１】
本発明は、浴室等の壁面に取り付けることによって電動で背中を洗うことができるようにした背中洗浄装置に関するものである。
【背景技術】
【０００２】
従来から、身体を洗浄するには、タオルやスポンジ等に洗剤をつけて、手作業で擦ることによって身体の汚れを洗い落とすことが行われている。ところが、特に、背中の洗浄に関しては、手が届きにくいこともあって、従来から種々の洗浄具が開発されてきた。
【０００３】
そのような洗浄具の中には、柄付のブラシ類もあるが、高齢者や身障者等が使用することを考慮すれば、洗浄具を電動モータで駆動する電動式の洗浄装置が便利である。
【０００４】
そこで、従来の電動式洗浄装置として、特許文献１を例に挙げる。この洗浄装置は、図８に示すように、架台５１で支持されたガイド部材５２によってモータケース５３を昇降自在に支持し、そのモータケース５３の内部にモータ５４を組み込むと共に、モータ５４の駆動軸５５に接続された洗浄具５６をモータケース５３より外部に臨ませたものであり、モータ５４を回転駆動することによって洗浄具５６を回転し、これを身体に当てることによって洗浄するようにしたものである。
【特許文献１】特開２００２−１０９４５号公報
【発明の開示】
【発明が解決しようとする課題】
【０００５】
ところで、上記の洗浄装置は、モータの駆動軸に取り付けられた洗浄具を駆動軸周りに回転するようにしたものである。しかしながら、この特許文献１の装置だけでなく、従来の身体を洗浄する装置は、いずれも、ブラシやスポンジ等の洗浄具をモータで回転する方式によるものであった。
【０００６】
ところが、回転する洗浄具を身体に当てることは、少なからず恐怖感を伴うものであり、使用者が病人や身障者等の弱者である場合、その恐怖感は一層大きくなる。また、洗浄具を回転する方式の洗浄装置は、タオル等を巻き込んだり、水や石鹸等を周辺に飛び散らすという欠点がある。さらには、子供のいたずら等で思わぬ事故につながるおそれもある。
【０００７】
本発明は、上記の欠点に鑑みてなされたもので、電動で洗浄具を回転するという危険を伴う方式ではなく、安全に使用できる構造とし、病人や身障者等の弱者にも恐怖感を与えることがなく、安心して使用することができ、またタオル等を巻き込んだり、水や石鹸等を周辺に飛び散らすこともない背中洗浄装置を提供することを目的とする。
【課題を解決するための手段】
【０００８】
上記の問題を解決するために、本発明の請求項１の背中洗浄装置は、ケース内に設けられた往復移動用モータの駆動軸に偏心状態で連結されると共に横方向に往復移動するように設けられた往復移動部材を介して洗浄盤が前記ケースの前方に臨むように取り付けられ、前記往復移動用モータを駆動することにより前記洗浄盤を所定幅で横方向に往復移動するようにしたことを特徴とする。
【０００９】
また、前記洗浄盤は横方向に湾曲した形状を有することを特徴とする。

【００１０】
また、前記洗浄盤の平面上にスポンジ製洗浄部材が着脱自在に設けられたことを特徴とする。
【００１１】
また、前記洗浄盤には暖房用配線が設けられたことを特徴とする。
【００１２】
また、本発明の請求項２の背中洗浄装置は、請求項１において、左右に離間する長尺の案内部材が壁面に固定された取付台を介して上下方向に設けられ、夫々の案内部材に沿って縦状に設けられた長尺のラックに歯合するギヤが前記ケース内に設けられた昇降用モータの駆動軸に結合されたことによって前記ケースが上下方向に昇降し、また所定高さで停止状態になることを特徴とする。
【００１３】
さらに、本発明の請求項３の背中洗浄装置は、請求項２において、前記左右の案内部材の上下部に設けられた取付台は壁面に接触する側に突出面とその周縁の凹部とを有し、前記突出面に設けられた両面粘着テープの接着によって壁面に仮止めされた状態で前記取付台の凹部に接着剤を充填することによって壁面に固定するようにしたことを特徴とする。
【発明の効果】
【００１４】
本発明の背中洗浄装置は、ケース内に設けられた往復移動用モータの駆動軸に偏心状態で連結されると共に横方向に往復移動するように設けられた往復移動部材を介して洗浄盤が前記ケースの前方に臨むように取り付けられ、前記往復移動用モータを駆動することにより前記洗浄盤を所定幅で横方向に往復移動するようにした構成により、洗浄盤の面積を広く取ることにより、使用者は安心して背後にある洗浄盤に寄りかかり、背中を当てることができる。
【００１５】
また、洗浄盤は回転するのではなく、横方向に微小な幅だけ往復移動するのであるから、病人や身障者等の弱者にも恐怖感を与えることがなく、安心して使用することができ、タオル等を巻き込んだり、水や石鹸等を周辺に飛び散らすこともなく、子供にも事故なく安心して使用することができる。
【００１６】
また、洗浄盤を横方向に湾曲した形状にすると、使用者はこの洗浄盤に背中を安心して寄りかかることができ、また往復移動用モータを駆動すると、洗浄盤は背中に沿って湾曲するように横方向に往復移動するため、使用感又は背中の洗浄効率が向上する。
【００１７】
また、洗浄盤の平面上にスポンジ製洗浄部材を着脱自在に設けた構成にすると、これを取り外して洗浄したり、他のスポンジ製洗浄具に交換することが可能となる。
【００１８】
また、洗浄盤に暖房配線が設けられた構成とすることにより、特に温度変化に注意すべき病人や年配者にも優しい使用感で背中の洗浄を行うことが可能となる。さらに、暖房配線をほぼ全面に設けた矩形盤面の面積を広く取ると、浴室内を効率的に暖めることが可能となり、特に冬場の浴室の暖房に効果的なものとなる。
【００１９】
また、背中洗浄装置の洗浄盤を上下方向に昇降することができる構成にすると、使用者が座った状態で使用し、また立った状態で使用するのに適する高さとすることができ、年齢や身長差に関係なく使用することができる。
【００２０】
さらに、左右の案内部材の上下部に設けられた取付台は、突出面に設けられた両面粘着テープの接着によって壁面に固定し、取付台の凹部に接着剤を充填することによって壁面に固定することができるため、壁面に穴を開けたり、衝撃を与えることなく施工することができ、また施工が非常に簡単であるため、素人でも取付け作業を容易に行うことが可能となる。
【発明を実施するための最良の形態】
【００２１】
以下、本発明の実施例について図面を参照しながら説明する。
【実施例１】
【００２２】
図１は、本発明による背中洗浄装置１を壁面１０に取り付けた状況を示す正面図である。この図において、壁面１０の前方には左右に離間する長尺の案内部材２、２が上下方向に伸長した状態で設けられ、これら左右の案内部材２、２は上下部を横部材２ａ、２ａで固定することによって矩形の形状を保持するように構成されている。このような左右の案内部材２、２は、図２に示すように、上下部から後方に張り出した張出部材２ｂ、２ｂを有する。
【００２３】
また、図６に示すように、夫々の張出部材２ｂは壁面１０に固定された取付台３の取付孔３ａに挿着されると共に、取付台３の外周から取付孔３ａ内に向けて螺合された固定ネジ３ｂの螺入によって張出部材２ｂを固定するようにしている。
【００２４】
また、取付台３は、図６に示すような円形の強化ビニール製部材から成り、壁面１０に接触する側に突出面３ｃとその周縁の凹部３ｄを有し、突出面３ｃに設けられた両面粘着テープ５の接着によって壁面１０に仮止めした状態で、取付台３の凹部３ｄに強化ガラスコーキング等の接着剤４を充填することによって、壁面１０に対して強力に固定することができる。このような取付台３の取付け施工は、壁面１０に穴を開けたり、衝撃を与えることなく施工することができ、また施工が非常に簡単であるため、素人でも取付け作業を容易に行うことが可能である。
【００２５】
図２に示すように、上記の左右の案内部材２、２の周内には壁面１０側に長尺のラック６、６が設けられている。このラック６は後述する通り、ケース７内に設けられた昇降用モータ８の駆動軸８ａに結合されたギヤ９に歯合される（図４(ｂ)参照）ことによって、ケース７を上下方向に昇降するものである。
【００２６】
また、図１又は図３(ａ)に示すように、左右の案内部材２、２は、ケース７の両側部の上下部にネジ等で固定された案内環１１、１１…の内部に挿通されたことによって、ケース７が左右の案内環１１、１１に沿って円滑に昇降可能とされている。
【００２７】
本装置のケース７は、図２に示すように、昇降用モータ８等を収容する上部ケース７ａと後述する洗浄盤１２が取り付けられる下部ケース７ｂとから成り、上部ケース７ａの底面には貫通穴７ｃが形成されたことにより、上部ケース７ａ内の湿気又は水分を下部ケース７ｂ内に導入し、下部ケース７ｂに設けられた小型換気扇１３で外部へ排出するようにしている。また、上部ケース７ａの前面開口部は内部を防水するために前面蓋１５が着脱自在又は開閉自在に設けられている。なお、図１は、前面蓋１５を図示していない図であり、上部ケース７ａの内部を見える状態にしてある。
【００２８】
また、下部ケース７ｂの前面開口部には内部に水等が浸入しないように蛇腹１６等の部材で仕切られ、下部ケース７ｂの奥部に小型換気扇１３が設けられたことによってケース７内の湿気を除去することができる。
【００２９】
ここで、上部ケース７ａの内部について説明すると、図３に示すように、上部ケース７ａの底面のほぼ中央に昇降用モータ８が固定されている。この昇降用モータ８の駆動軸８ａは左右に延長され、上部ケース７ａから外方へ突出されると共に、駆動軸８ａの左右の端部にはギヤ９、９が設けられ、夫々のギヤ９、９が上記の案内部材２、２のラック６、６に歯合された構成とされている。このような構成により、昇降用モータ８の駆動によってギヤ９、９が回転すると、ギヤ９、９の回転が左右のラック６、６に歯合されて伝達されることによりケース７を上下方向に駆動することができ、ケース７は案内部材２、２の上下部に設けられた案内環１１、１１…に案内されることによって円滑に昇降することができる。
【００３０】
また、図４に示すように、上部ケース７ａ内の天板には往復移動用モータ１７がネジ等で固定されている。この往復移動用モータ１７の駆動軸１７ａは下方に向けられ、図３(ａ)及び(ｂ)に示すように、その駆動軸１７ａが回転部材１８に結合され、この回転部材１８には駆動軸１７ａから幅Ｌだけ偏心した位置に偏心軸１９が設けられ、この偏心軸１９に連結部材２０の一端を回動自在に軸支した構成とされている。
【００３１】
また、連結部材２０の他端には長尺の往復移動部材２１の一端が揺動軸２２で回動自在に連結されている。この往復移動部材２１には左右の各端部に上部ケース７ａの床面に固定された規制ピン２３を挿通する長さ２Ｌの長穴２１ａが形成されている。従って、往復移動部材２１は左右の規制ピン２３によって長穴２１ａの長さ２Ｌだけ長手方向に往復移動することが可能である。
【００３２】
また、往復移動用モータ１７の駆動軸１７ａを偏心状態で連結する構造としては、上記の他に図３(ｃ)に示す構造とすることも可能である。即ち、往復移動用モータ１７の駆動軸１７ａを屈曲することにより幅Ｌだけ偏心させると共に、この屈曲した駆動軸１７ａを連結部材２０の他端に形成された軸穴２０ａに回動自在に挿通した構造とし、その他の構造は上記と同様に揺動軸２２を介して往復移動部材２１に回動自在に連結したものとする。
【００３３】
いずれにしても、上記の偏心構造によって、往復移動用モータ１７を駆動すると、回転部材１８が回転するに伴い、揺動軸２２を介して往復移動部材２１を長さ２Ｌだけ往復直線移動させることとなる。
【００３４】
また、図３(ａ)に示すように、往復移動部材２１の左側前側部には僅かに湾曲したラック２１ｂが形成され、このラック２１ｂに歯合する円弧形ギア２４が支軸２５ａによって軸支されている。この支軸２５ａは、図４(ａ)に示すように下部ケース７ｂの上下部に延長された状態で回動自在に設けられ、さらにこの支軸２５ａには下部ケース７ｂの前方に臨む洗浄盤１２の背面の左側上下部がアングル部材２６によってネジ２７で固定されている。一方、洗浄盤１２の背面の右側上下部が下部ケース７ｂの右側の上下部に回動自在に設けられた支軸２５ｂにアングル部材２６によってネジ２７で固定されている。
【００３５】
上記の構成によって、往復移動部材２１が長手方向に往復移動すると、洗浄盤１２はケース７の前方にて左右横方向に往復移動することとなる。この際の往復幅は、上記の往復移動用モータ１７の駆動軸１７ａと回動軸１９との偏心幅をＬ＝８ｍｍとしたとき、洗浄盤１２は２Ｌ＝１６ｍｍの往復幅で左右横方向に往復運動を繰り返すこととなる。
【００３６】
上記の洗浄盤１２は、図５に示すようにアルミニウム製の矩形盤１２ａの周囲に外枠１２ｂを有する形状からなる。また、この矩形盤１２ａを、図３(ａ)に示すように僅かに横方向に湾曲した形状とするのが好ましい。
【００３７】
この洗浄盤１２の外枠１２ｂ内には矩形盤１２ａの面上にスポンジ製洗浄部材３０が着脱自在に設けられている。このスポンジ製洗浄部材３０は、図５に示すようにスポンジ製の凹凸からなる洗浄凹凸３０ａとその背面の合成樹脂よりなる支持面３０ｂとからなり、支持面３０ｂと矩形盤１２ａとには例えばマジックテープ（登録商標）等の面接着材３１が設けられているため、スポンジ製洗浄部材３０を取り外して洗浄したり、他のスポンジ製洗浄部材に交換したりすることが可能である。なお、スポンジ製洗浄部材３０のほかに、例えば支持面３０ｂにブラシを植毛した構成の洗浄具を使用することも可能である。
【００３８】
また、図５に示すように、この洗浄盤１２は、熱伝達の良好なアルミニウム製の矩形盤１２ａの背面のほぼ全面に暖房配線３２が設けられたことにより、その上面に接着したスポンジ製洗浄部材３０を効率的に温めることが可能であり、温度変化に注意すべき病人や年配者にも優しい使用感で背中の洗浄を行うことが可能となる。さらに、暖房配線３２をほぼ全面に設けた矩形盤１２ａの面積が広いため、浴室内を効率的に暖めることが可能となり、特に冬場の浴室の暖房に効果的なものとなる。
【００３９】
なお、上記の洗浄盤１２の暖房配線３２は、図１に示すように、上部ケース７ａ内に設けられた変圧器３３に接続して、その温度調整によって所望の温度に調節することが可能である。また、変圧器３３からコード３４で導かれたコントローラ３５を設けてあり、電源のＯＮ、ＯＦＦや温度調整、さらにはモータ１７の電圧調節によって、洗浄盤１２の往復移動の速度調整を行うことが可能となる。
【００４０】
上記のように構成された背中洗浄装置を使用する際には、図７(ａ)に示すように座った姿勢で使用する場合は、昇降用モータ８を駆動して洗浄盤１２を下方に移動し、また図７(ｂ)に示すように立った姿勢で使用する場合は、昇降用モータ８を駆動して洗浄盤１２を上方に移動することができ、さらには昇降用モータ８の駆動によって使用者の身長差による高さ調整を行うことも可能である。
【００４１】
また、本発明による背中洗浄装置は浴室等の壁面１０に簡単に取り付けることができ、使用者は、洗浄盤１２の面積を広くとることができるため、安心して背後の洗浄盤１２に寄りかかることができる。また、洗浄盤１２は回転するのではなく、横方向に微小な所定幅だけ往復移動するのであるから、病人や身障者等の弱者にも恐怖感を与えることがなく、安心して使用することができ、タオル等を巻き込んだり、水や石鹸等を周辺に飛び散らすこともなく、子供にも事故なく安心して使用することが可能となる。
【産業上の利用可能性】
【００４２】
本発明の背中洗浄装置は、洗浄盤を横方向に微小幅で往復移動する構成によって、病人や身障者等の弱者にとって背中を寄りかける際の恐怖感がなく、子供も安心して使用することができ、さらにはタオル等を巻き込んだり、水や石鹸等を周辺に飛び散らすことのない安全且つ衛生的な背中洗浄装置として利用可能である。
【図面の簡単な説明】
【００４３】
【図１】本発明による背中洗浄装置の前面図である。
【図２】本発明による背中洗浄装置の側面図である。
【図３】(ａ)は本発明による背中洗浄装置の内部を上方から見た状況を示す図であり、(ｂ)は往復移動用モータの駆動軸に偏心状態で連結された連結部材等を側方から見た部分詳細図であり、(ｃ)は往復移動用モータの駆動軸に偏心状態で連結された他の構造を示す部分詳細図である。
【図４】(ａ)は本発明による背中洗浄装置のケース内の状況を示す部分拡大図であり、(ｂ)は昇降用モータの駆動ギヤと案内部材に設けられたラックとの歯合関係を示す部分図である。
【図５】本発明による背中洗浄装置の洗浄盤におけるスポンジ製洗浄部材を一部取り外した状況を示す平面図である。
【図６】本発明による背中洗浄装置の取付台を示す部分拡大図である。
【図７】(ａ)は本発明による背中洗浄装置を座った状態で使用している状況を示す側面図であり、(ｂ)はそれを立った状態で使用している状況を示す側面図である。
【図８】従来の特許文献１の洗浄装置の側面図である。
【符号の説明】
【００４４】
1          背中洗浄装置
2          案内部材
２ａ    横部材
２ｂ    張出部材
3          取付台
３ａ    取付孔
３ｂ    固定ネジ
３ｃ    突出面
３ｄ    凹部
4          接着剤
5          両面粘着テープ
6          ラック
7          ケース
７ａ    上部ケース
７ｂ    下部ケース
７ｃ    貫通穴
8          昇降用モータ
８ａ    駆動軸
9          ギヤ
10        壁面
11        案内環
12        洗浄盤
12ａ    矩形盤
12ｂ    外枠
13        小型換気扇
15        前面蓋
16        蛇腹
17        往復移動用モータ
17ａ    駆動軸
18        回転部材
19        偏心軸
20        連結部材
20ａ    軸穴
21        往復移動部材
21ｂ    ラック
22        揺動軸
23        規制ピン
24        円弧形ギア
25ａ、25ｂ   左右の支軸
26        アングル部材
27        ネジ
28        右側の支軸
30        スポンジ製洗浄部材
30ａ    洗浄凹凸
30ｂ    支持面
31        面接着材
32        暖房配線
33        変圧器
34        コード
35        コントローラ
【要約】
【課題】電動で洗浄具を回転するという危険を伴う方式ではなく、安全に使用できる構造とし、病人や身障者等の弱者にも恐怖感を与えることがなく、安心して使用することができ、またタオル等を巻き込んだり、水や石鹸等を周辺に飛び散らすこともない背中洗浄装置を提供する。
【解決手段】ケース７内に設けられた往復移動用モータ１７の駆動軸１７ａに偏心状態で連結されると共に横方向に往復移動するように設けられた往復移動部材２１を介して洗浄盤１２が前記ケース７の前方に臨むように取り付けられ、前記往復移動用モータ１７を駆動することにより前記洗浄盤１２を所定幅で横方向に往復移動するようにした。
【選択図】図１
【図１】
0003707498.tif 000002
【図２】
0003707498.tif 000003
【図３】
0003707498.tif 000004
【図４】
0003707498.tif 000005
【図５】
0003707498.tif 000006
【図６】
0003707498.tif 000007
【図７】
0003707498.tif 000008
【図８】
0003707498.tif 000009